(57)【特許請求の範囲】
【請求項１】
時計ケースの外周側壁部に突設された固定部と、前記時計ケースの裏面に配置された押え板とに挟持されたバンドが、前記時計ケースの裏面方向から挿入されたバンド止めネジで、前記押え板と前記固定部とに固定され、かつ時計ケース上面側に配置されたベゼルが、ベゼル止めネジにより前記固定部に固定され、前記バンドは、前記押え板と前記ベゼルにも挟持されていることを特徴とする時計ケースとバンドの連結構造。
【請求項２】
前記時計ケースと前記バンドとの連結部分の平面形状において、前記時計ケースの側壁形状が、前記バンドの連結部分形状と、略一致していることを特徴とする請求項１記載の時計ケースとバンドの連結構造。
【請求項３】
前記時計ケースにおいて、前記押え板が前記固定部に前記バンド止めネジにより少なくとも１箇所以上で固定されていることを特徴とする請求項１または請求項２記載の時計ケースとバンドの連結構造。
【請求項４】
前記時計ケースにおいて、前記ベゼルが前記固定部に前記ベゼル止めネジにより少なくとも１箇所以上で固定されていることを特徴とする請求項１から請求項３のいずれかに記載の時計ケースとバンドの連結構造。
【請求項５】
前記バンドの下面側に凹設された下面嵌合溝に前記押え板が嵌合していることを特徴とする請求項１から請求項４のいずれかに記載の時計ケースとバンドの連結構造。
【請求項６】
前記バンドの上面側に凹設された上面嵌合溝に前記時計ケース、または前記ベゼルが嵌合していることを特徴とする請求項３から請求項５のいずれかに記載の時計ケースとバンドの連結構造。
【請求項７】
前記バンドが、金属、合成樹脂、革、布の中から選択した少なくとも１種類以上の材質、または複合材質からなることを特徴とする請求項１から請求項６のいずれかに記載の時計ケースとバンドの連結構造。
【請求項８】
前記ベゼル止めネジが、装飾板に覆われ外観目視できないことを特徴とする請求項３から請求項７のいずれかに記載の時計ケースとバンドの連結構造。
【発明の詳細な説明】
【０００１】
【発明の属する技術分野】
本発明は時計ケースとバンドとの連結構造に関するものである。
【０００２】
【従来の技術】
従来、時計ケースとバンドとの連結構造において、裏蓋と、時計ケースとの間にバンド先端部を挟みこむ形でバンドを固定する構造があった。これらの構造は実開昭６３−１１１４９０号公報、実開平０２−０３６３１３号公報、スイス特許第４８１４１６号公報等に開示されている。また、図７に示されるような、裏蓋と、時計ケースとの間に嵌合部材を介してバンドを固定する構造があった。
【０００３】
【発明が解決しようとする課題】
上記従来技術の内、実開昭６３−１１１４９０号公報に開示されている、バンドの連結部分に穿設された貫通孔を裏蓋に設けられた突出部やピンにはめ込む構造では、固定構造である突出部やピンの付近に応力集中が生じ、バンドの劣化や破損がおきやすい。このため、バンドの連結部分を強化部材等で補強しているが、補強のためのインサート成形や挟みこみ加工は、コストアップや工程の増加が見込まれる。
【０００４】
また、実開昭６３−１１１４９０号公報、実開平０２−０３６３１３号公報、スイス特許第４８１４１６号公報に開示されている裏蓋と、時計ケースとの間にバンド先端部を挟みこむ形でバンドを固定する構造や、図７に示される裏蓋２３と、時計ケース２０との間に嵌合部材２２を介してバンド２１を固定する構造のいずれも、バンドを取り外すには裏蓋をはずす必要、すなわち、時計ケースそのものの解体が必要である。このため、防水試験時にはバンドを取り付けたまま行わなければならず取り扱いが煩雑である。
【０００５】
本発明は、止めネジによって時計ケースに固定される押え板を用いる事によって、時計ケースと押え板とにバンドを挟持する構造でありながら、時計ケースの解体なくバンドの取り外しが容易で、連結部分において応力集中によるバンドの劣化や破損がおきず、かつ時計全体のデザインの自由度が高い時計ケースとバンドとの連結構造を提供することを目的とする。
【０００６】
【課題を解決するための手段】
本発明は、時計ケースの外周側壁部に突設された固定部と、前記時計ケースの裏面に配置された押え板とに挟持されたバンドが、前記時計ケースの裏面方向から挿入されたバンド止めネジで、前記押え板と前記固定部とに固定され、かつ時計ケース上面側に配置されたベゼルが、ベゼル止めネジにより前記固定部に固定され、前記バンドは、前記押え板と前記ベゼルにも挟持されていることを特徴とし、このバンドが固定部と押え板とで固定されている構成により、バンド止めネジのみでバンドを時計ケースに直接固定されているときにおこる応力集中によるバンドの破損、または劣化がおきにくくなり、またバンドのネジ圧接部位に生じる応力集中に対処するため、バンド連結部に異材質部材を加える等の部分強化を図る必要が無くなる。
【０００７】
また、前記時計ケースと前記バンドとの連結部分の平面形状において、前記時計ケースの側壁形状が、前記バンドの連結部分形状と、略一致していることを特徴とし、この構成により、時計ケースとバンドの一体感を持ったモデルにすることができる。
【０００８】
また、前記時計ケースにおいて、前記押え板が前記固定部に前記バンド止めネジにより少なくとも１箇所以上で固定されていることを特徴とし、この１箇所、または複数の箇所で押え板が固定されている構成により、押え板は任意の方向に移動することなくバンドを固定することができる。
【００１０】
また、前記時計ケースにおいて、前記ベゼルが前記固定部に前記ベゼル止めネジにより少なくとも１箇所以上で固定されていることを特徴とし、この１箇所、または複数の箇所でベゼルが固定されている構成により、ベゼルは任意の方向に移動することがなくなる。
【００１１】
また、前記バンドの下面側に凹設された下面嵌合溝に前記押え板が嵌合していることを特徴とし、この押え板とバンドとが嵌合している構成により、バンドを固定をしている部分が複数となり、バンド止めネジのみで固定されているときにおこる応力集中によるバンドの破損、または劣化がおきにくくなり、また応力集中に対処するため、バンド連結部に異材質部材を加える等の部分強化を図る必要が無くなる。
【００１２】
また、前記バンドの上面側に凹設された上面嵌合溝に前記時計ケース、または前記ベゼルが嵌合していることを特徴とし、この時計ケース、またはベゼルとバンドが嵌合している構成により、バンドを固定している部分が複数となり、バンド止めネジのみで固定されているときにおこる応力集中によるバンドの破損、または劣化がおきにくくなり、また応力集中に対処するため、バンド連結部に異材質部材を加える等の部分強化を図る必要が無くなる。
【００１３】
また、前記バンドが、金属、合成樹脂、革、布の中から選択した少なくとも１種類以上の材質、または複合材質からなることを特徴とし、この構成により、要求品質を満たすように、色、質感、機能を選択することができる。
【００１４】
また、前記ベゼル止めネジが、装飾板に覆われ外観目視できないことを特徴とし、このデザイン的に煩雑なベゼル止めネジが外観目視できなくなる構成により、時計のデザインをより精錬されたものとすることができる。
【００１５】
【発明の実施の形態】
本発明に係わる時計ケースとバンドとの連結構造を図１から図６に示す。図１は本発明に係わる実施例１で、時計ケースとウレタン製のバンドとが連結している状態の平面外観を示す概略図である。図２は本発明に係わる実施例１で、時計ケースとウレタン製のバンドとが連結している状態を示す図１のＡ−Ａ’断面図である。図３は本発明に係わる実施例２で、時計ケースとウレタン製のバンドとが連結している状態の平面外観を示す概略図である。図４は本発明に係わる実施例２で、時計ケースとウレタン製のバンドとが連結している状態を示す図３のＢ−Ｂ’断面図である。図５は本発明に係わる実施例３で、時計ケースと革製のバンドとが連結している状態の平面外観を示す概略図である。図６は本発明に係わる実施例３で、時計ケースと革製のバンドとが連結している状態を示す図５のＣ−Ｃ’断面図である。
【００１６】
また、本発明に係わる実施例における腕時計の構造は、時計ケース１の上面に風防ガラス１５が配置され、下面に裏蓋１８が配置されている。また、時計ケース１の内部には文字板１６を上面に備えたモジュール１７が配置されている。また、時計ケース１の上面にはベゼル８、または装飾板１０が配置されている場合がある。
【００１７】
以下、本発明を実施例によって説明するが、本発明は実施例に限定するものではない。
【００１８】
（実施例１）
本発明に係わる時計ケースのバンドとの連結構造の実施例１を図１と図２に示す。図１は本発明における実施例１の時計ケースとウレタン製のバンドとが連結している状態の平面外観を示す概略図である。図２は本発明における実施例１の時計ケースとウレタン製のバンドとが連結している状態を示す図１のＡ−Ａ’断面図である。
【００１９】
前記連結構造は以下の構成からなる。時計ケース１は、外周側壁部に突設された固定部４を有し、１２時方向と、６時方向とにウレタン製のバンド２を連結している。１２時方向の固定部４は、１１時、１時方向の２箇所に下面から上面方向に貫通していない固定孔５を有し、６時方向の固定部４は、５時、７時方向の２箇所に下面から上面方向に貫通していない固定孔５を有し、固定孔５の内面にはネジきりが施されている。ウレタン製のバンド２は、押え板３の上面と固定部４の下面とに挟持されており、バンド２における固定孔５と上下方向にて重なる位置には、バンド貫通孔６が穿設されており、押え板３における固定孔５と上下方向にて重なる位置には、押え板貫通孔７が穿設されている。また、バンド止めネジ１１を、押え板３の下面側から押え板貫通孔７に挿入し、つづいてバンド２の下面側からバンド貫通孔６に挿入し、さらに固定孔５に下面側から螺合することにより、バンド２は固定部４と押え板３との間に固定される。
【００２０】
また、この時バンド２の上面側には上面嵌合溝１４が凹設されており、時計ケース１の外周部に下方に向かって設けられた突出部と、上面嵌合溝１４とは嵌合している。また、バンド２の下面側には下面嵌合溝１３が凹設されており、押え板３の上面外周部に設けられた突出部と、押え板嵌合溝１３とは嵌合している。
【００２１】
以上の構成からなる連結構造においては、ウレタン樹脂製のバンド２は、バンド止めネジ１１によって、あるいは固定部４と押え板３に挟持されることで、あるいは、時計ケース１と押え板３とに嵌合することによって時計ケース１に固定されている。このため、従来のネジ止めのみの固定方法では必要とされていた、ウレタン樹脂へインサート成形によるバンドの連結部分の強化を施す必要がなくなる。
【００２２】
また、連結部分における時計ケース１の側壁形状と、バンド２の連結部分形状が平面形状にて略一致しており、時計ケース１とバンド２は一体感をもった精錬されたデザインとなっている。
【００２３】
さらに、時計ケース１の１時、５時、７時、１１時方向の４箇所で、押え板３はバンド止めネジ１１によって固定部４に固定されているため、任意の方向に移動することがなくなっている。
【００２４】
また、バンド止めネジ１１を取り外し、押え板３を取り外すことで、時計ケース１そのものを解体する必要なくバンド２を取り外すことができるため、時計ケース１の防水試験やメンテナンスに煩雑さがない。
【００２５】
なお、実施例１においては、バンド２としてウレタン樹脂製バンドを使用しているが、要求される機能やデザインにより、チタンやステンレス製の金属バンド、あるいは連結部分をウレタン樹脂として他の部分を革とした複合材質バンドなどを使用しても同様の効果が得られることはいうまでもない。
【００２６】
（実施例２）
本発明に係わる時計ケースのバンドとの連結構造の実施例２を図３と図４に示す。図３は本発明における実施例２の時計ケースとウレタン製のバンドとが連結している状態の平面外観を示す概略図である。図４は本発明における実施例２の時計ケースとウレタン製のバンドとが連結している状態を示す図３のＢ−Ｂ’断面図である。
【００２７】
前記連結構造は以下の構成からなる。時計ケース１は、外周側壁部に突設された固定部４を有し、１２時方向と、６時方向とにウレタン製のバンド２を連結している。１２時方向の固定部４は、１１時、１時方向の２箇所に上下方向に貫通する固定孔５を有し、６時方向の固定部４は、５時、７時方向の２箇所に上下方向に貫通する固定孔５を有し、固定孔５の内面にはネジきりが施されている。ウレタン製のバンド２は、押え板３の上面と固定部４の下面とに挟持されており、バンド２における固定孔５と上下方向にて重なる位置には、バンド貫通孔６が穿設されており、押え板３における固定孔５と上下方向にて重なる位置には、押え板貫通孔７が穿設されている。また、バンド止めネジ１１を、押え板３の下面側から押え板貫通孔７に挿入し、つづいてバンド２の下面側からバンド貫通孔６に挿入し、さらに固定孔５に下面側から螺合することにより、バンド２は固定部４と押え板３との間に固定される。
【００２８】
また、ベゼル８における固定孔５と上下方向にて重なる位置には、段付きのベゼル貫通孔９が穿設されており、ベゼル止めネジ１２を、ベゼル８の上面側からベゼル貫通孔９に挿入し、つづいて固定孔５に上面側から螺合することによりベゼル８は固定部４の上面に固定されている。この時バンド２の上面側には上面嵌合溝１４が凹設されており、ベゼル８の下面外周部に設けられた突出部と、上面嵌合溝１４とは嵌合している。また、バンド２の下面側には下面嵌合溝１３が凹設されており、押え板３の上面外周部に設けられた突出部と、下面嵌合溝１３とは嵌合している。装飾板１０は、時計ケース１を上面側から見たとき、ベゼル止めネジ１２が目視できなくなるように、ベゼル８の上面側に両面テープで貼り付けてある。
【００２９】
以上の構成からなる連結構造においては、ウレタン樹脂製のバンド２は、バンド止めネジ１１によって、あるいは固定部４と押え板３に挟持されることで、あるいは、ベゼル８と押え板３とに嵌合することによって時計ケース１に固定されている。このため、従来のネジ止めのみの固定方法では必要とされていた、ウレタン樹脂へインサート成形によるバンドの連結部分の強化を施す必要がなくなる。
【００３０】
また、連結部分における時計ケース１の側壁形状と、バンド２の連結部分形状が平面形状にて略一致しており、時計ケース１とバンド２は一体感をもった精錬されたデザインとなっている。
【００３１】
さらに、時計ケース１の１時、５時、７時、１１時方向の４箇所で、押え板３はバンド止めネジ１１によって固定部４に固定されているため、任意の方向に移動することがなくなっている。同様に、時計ケース１の１時、５時、７時、１１時方向の４箇所で、ベゼル８はベゼル止めネジ１２によって固定部４に固定されているため、任意の方向に移動することがなくなっている。
【００３２】
また、バンド止めネジ１１を取り外し、押え板３を取り外すことで、時計ケース１そのものを解体する必要なくバンド２を取り外すことができるため、時計ケース１の防水試験やメンテナンスに煩雑さがない。
【００３３】
なお、実施例２においては、バンド２としてウレタン樹脂製バンドを使用しているが、要求される機能やデザインにより、チタンやステンレス製の金属バンド、あるいは連結部分をウレタン樹脂として他の部分を革とした複合材質バンドなどを使用しても同様の効果が得られることはいうまでもない。
【００３４】
（実施例３）
本発明に係わる時計ケースのバンドとの連結構造の実施例３を図５と図６に示す。図５は本発明における実施例３の時計ケースと革製のバンドとが連結している状態の平面外観を示す概略図である。図６は本発明における実施例３の時計ケースと革製のバンドとが連結している状態を示す図５のＣ−Ｃ’断面図である。
【００３５】
前記連結構造は以下の構成からなる。時計ケース１は、外周側壁部に突設された固定部４を有し、１２時方向と、６時方向とに革製のバンド２を連結している。１２時方向の固定部４は、１１時、１２時、１時方向の３箇所に上下方向に貫通する固定孔５を有し、６時方向の固定部４は、５時、６時、７時方向の３箇所に上下方向に貫通する固定孔５を有し、固定孔５の内面にはネジきりが施されている。革製のバンド２は、押え板３の上面と固定部４の下面とに挟持されており、バンド２における固定孔５と上下方向にて重なる位置には、バンド貫通孔６が穿設されており、押え板３における固定孔５と上下方向にて重なる位置には、押え板貫通孔７が穿設されている。また、バンド止めネジ１１を、押え板３の下面側から押え板貫通孔７に挿入し、つづいてバンド２の下面側からバンド貫通孔６に挿入し、さらに固定孔５に下面側から螺合することにより、バンド２は固定部４と押え板３との間に固定されている。
【００３６】
また、ベゼル２における固定孔５と上下方向にて重なる位置には、段付きのベゼル貫通孔９が穿設されており、ベゼル止めネジ１２を、ベゼル８の上面側からベゼル貫通孔９に挿入し、つづいて固定孔５に上面側から螺合することによりベゼル８は固定部４の上面に固定されている。この時ベゼル８の下面側にはバンド２のすべりを抑制する凹凸が形成されている。また、押え板３の上面側にはバンド２のすべりを抑制する凹凸が形成されている。装飾板１０は、時計ケース１を上面側から見たとき、ベゼル止めネジ１２が目視できなくなるように、ベゼル８の上面側に両面テープで貼り付けてある。
【００３７】
以上の構成からなる連結構造においては、革製のバンド２は、バンド止めネジ１１によって、あるいは固定部４と押え板３に挟持されることで、あるいは、ベゼル８と押え板３とに形成されている凹凸にすべりを抑制されることによって時計ケース１に固定されている。このため、従来のネジ止めのみの固定方法では必要とされていた、革製バンドの端部に異材質を挟みこむことによる連結部分の強化を施す必要がなくなる。
【００３８】
また、連結部分における時計ケース１の側壁形状と、バンド２の連結部分形状が平面形状にて略一致しており、ベゼル止めネジ１２が装飾板１０により外観目視できなくなっていることで、時計ケース１とバンド２は一体感をもった精錬されたデザインとなっている。
【００３９】
さらに、時計ケース１の１時、５時、６時、７時、１１、１２時方向の６箇所で、押え板３はバンド止めネジ１１によって固定部４に固定されているため、任意の方向に移動することがなくなっている。同様に、時計ケース１の１時、５時、６時、７時、１１時、１２時方向の６箇所で、ベゼル８はベゼル止めネジ１２によって固定部４に固定されているため、任意の方向に移動することがなくなっている。
【００４０】
また、バンド止めネジ１１を取り外し、押え板３を取り外すことで、時計ケース１そのものを解体する必要なくバンド２を取り外すことができるため、さらに時計ケース１の防水試験やメンテナンスに煩雑さがない。
【００４１】
なお、実施例３においては、バンド２として革製バンドを使用しているが、要求される機能やデザインにより、布製バンド、あるいは連結部分を金属として他の部分を革とした複合材質バンドなどを使用しても同様の効果が得られることはいうまでもない。
【００４２】
【発明の効果】
本発明によって、時計ケースとバンドとの連結構造は、バンドを時計ケースの外周側壁部に突設された固定部と押え板によって挟持する形で、時計ケースに固定しており、ネジのみで固定している時よりも、連結部分における応力集中によるバンドの劣化や破損がおきにくくなっている。
【００４３】
また、ベゼルと押え板によって挟持する形で、時計ケースに固定しており、ネジのみで固定している時よりも、連結部分における応力集中によるバンドの劣化や破損がおきにくくなっている。
【００４４】
また、バンド止めネジと押え板とを取り外すことにより、時計ケースそのものを解体することなくバンドを取り外すことができるため、時計ケースの防水試験やメンテナンスに煩雑さがなくなっている。
【００４５】
また、時計ケースの側壁形状が、バンドの連結部分形状と、略一致しており、さらに、ベゼル止めネジが装飾板に覆われていることにより外観目視できないようになっており、時計ケース１とバンド２とは一体感をもった精錬されたデザインとなっている。
【図面の簡単な説明】
【図１】本発明に係わる実施例１における、時計ケースとウレタン製のバンドとが連結している状態の平面外観を示す概略図である。
【図２】本発明に係わる実施例１における、時計ケースとウレタン製のバンドとが連結している状態を示す図１のＡ−Ａ’断面図である。
【図３】本発明に係わる実施例２における、時計ケースとウレタン製のバンドとが連結している状態の平面外観を示す概略図である。
【図４】本発明に係わる実施例２における、時計ケースとウレタン製のバンドとが連結している状態を示す図３のＢ−Ｂ’断面図である。
【図５】本発明に係わる実施例３における、時計ケースと革製のバンドとが連結している状態の平面外観を示す概略図である。
【図６】本発明に係わる実施例３における、時計ケースと革製のバンドとが連結している状態を示す図５のＣ−Ｃ’断面図である。
【図７】本発明に係わる従来例における、時計ケースとバンドとが連結している状態を示す断面図である。
【符号の説明】
１  時計ケース
２  バンド
３  押え板
４  固定部
５  固定孔
６  バンド貫通孔
７  押え板貫通孔
８  ベゼル
９  ベゼル貫通孔
１０  装飾板
１１  バンド止めネジ
１２  ベゼル止めネジ
１３  下面嵌合溝
１４  上面嵌合溝
１５  風防ガラス
１６  文字板
１７  モジュール
１８  裏蓋
２０  時計ケース（従来例）
２１  バンド（従来例）
２２  嵌合部材（従来例）
２３  裏蓋（従来例）
【図１】
0004571292.tif 000002
【図２】
0004571292.tif 000003
【図３】
0004571292.tif 000004
【図４】
0004571292.tif 000005
【図５】
0004571292.tif 000006
【図６】
0004571292.tif 000007
【図７】
0004571292.tif 000008